(57)【要約】  ハンドル（２）と加熱可能な毛髪整形構成要素（３）とを装備した、特に毛髪を乾燥又はウェーブスタイルにするための渦巻き状のバーとして設計された毛髪整形装置（１）であって、これにより毛髪整形構成要素（３）は渦巻いた構造（４）を有し、毛髪整形構成要素（３）は、少なくとも区画（５）の長さだけ下方に、その長手方向軸を下方に向かう楕円形の断面を特徴とする。この断面形状は維持されるが、渦巻いた構造（４）を得るために、楕円（６）の配列は変化する。提案される毛髪整形装置（１）は、これら毛髪の房に比較的高レベルの張力を加えることにより、これら毛髪の房を均一にウェーブスタイルにし、かつ乾燥させることを可能にする。
2011512225.tif 000002
【特許請求の範囲】
【請求項１】
ハンドル（２）と加熱可能な毛髪整形構成要素（３）とを有する、特に毛髪を乾燥及びウェーブスタイルにするための毛髪整形装置（１）であって、
前記毛髪整形構成要素（３）は渦巻いた構造（４）を呈し、
前記毛髪整形構成要素（３）は、少なくとも区画（５）の長さだけ下方に、長手方向軸を下方に向かう楕円形の断面を特徴することと、
この断面形状は、この同じ区画（５）の長さだけ下方に維持されるが、前記渦巻いた構造（４）を得るために、前記断面上の楕円（６）の配列が変化することと
を特徴とする、毛髪整形装置。
【請求項２】
前記毛髪整形構成要素（３）の表面に適合された毛髪保持クリップ（７）が前記毛髪整形装置（１）の上に設けられることと、
前記毛髪保持クリップ（７）が、結合部（８）によって前記ハンドル（２）又は前記毛髪整形構成要素（３）に連結されることと
を特徴とする、請求項１に記載の毛髪整形装置。
【請求項３】
前記渦巻いた構造（４）が、渦巻いた前記毛髪整形構成要素（３）を有する前記区画（５）に対して、完全な巻き輪の半分と３つの完全な巻き輪との間、好ましくは１つの完全な巻き輪きと一巻き半の完全な巻き輪との間を構成することを特徴とする、請求項１又は２に記載の毛髪整形装置。
【請求項４】
渦巻いていない分離スパイク（１０）が前記毛髪整形構成要素（３）の末端部（９）に設けられることを特徴とする、請求項１、２、又は３に記載の毛髪整形装置。
【発明の詳細な説明】
【技術分野】
【０００１】
本発明は、毛髪を乾燥又はスタイリングするための毛髪整形装置に関する。
【背景技術】
【０００２】
ハンドル構成要素と加熱可能な毛髪スタイリング構成要素とを含む毛髪整形装置は、米国特許第１，４９１，４１５号から既知である。毛髪スタイリング構成要素は、渦巻いた構造、及び毛髪スタイリング構成要素上の毛髪の房をらせん状にカールさせるのを手助けするために、この構造の形状に適合された毛髪保持クリップを特徴とする。
【０００３】
この毛髪整形装置は毛髪のスタイリングを目的とする。本質的に、毛髪スタイリング構成要素の内部に配設された加熱装置は、毛髪スタイリング構成要素の外側表面を加熱する好適な方法である。この加熱は、毛髪の房を乾燥しかつスタイリングする助けとなる。
【０００４】
よく知られている毛髪整形装置の不利益は、全区画の比較的狭い範囲のみを使用して、毛髪の房を強くカールさせる（tight curling）のに比較的適さないことである。多くの場合実際に用いられるこのカーリング技術は、比較的大きな機械的張力を毛髪の房に供給することから、改善されたスタイリング結果を供給する。
【先行技術文献】
【特許文献】
【０００５】
【特許文献１】米国特許第１，４９１，４１５号
【発明の概要】
【発明が解決しようとする課題】
【０００６】
これまでのよく知られている毛髪整形装置を使用すると、渦巻いた構造を超えて伸びるこれら毛髪の房の真っすぐな部分の形成が生じる。一方で、スタイリングされる毛髪の房におけるこの種の毛髪の真っすぐな部分は、望ましくない。一方で、比較的強くカールされた毛髪の房とは対照的に、毛髪のこれら真っすぐな部分は、加熱可能な毛髪スタイリング構成要素の表面上に位置せず、このことは、毛髪の真っすぐな部分の乾燥がカールされた房に比べると不十分であることを意味し、これにより総合的な面から、パーマネントウェーブ処理中の比較的長い乾燥工程が生じる。
【課題を解決するための手段】
【０００７】
この場合に直面する課題は、請求項１の主な表題に従って、毛髪整形装置に関連する上記不利益を克服することである。この課題は、請求項１の指定構成要素によって達成される。この場合、毛髪整形構成要素は、区画だけ下方に、長手方向軸を少なくとも下方に向かう楕円形の断面を特徴とし、この断面形状は、この区画の長さだけ下方に離れる渦巻いた構造を得るために、この断面上の楕円の配列を変更することによって維持される。
【０００８】
提案される毛髪整形装置の利点は、毛髪の真っすぐな房が全く無いのを特徴とし、その結果比較的自然に見える毛髪のウェーブ効果を達成するために使用することができることである。全ての楕円形の断面はわずかに異なって配列されるが、それでもなお範囲は同じであるという事実のおかげで、毛髪の単一房の中の毛髪を、均一かつ比較的高い圧力下でカールさせることができ、その後、これら毛髪の房は加熱可能な毛髪整形構成要素の表面上に均一に横たわる。毛髪整形構成要素の加熱を用いることで、次に、これら毛髪の房は均一にウェーブスタイルに形作られて乾燥される。
【０００９】
提案される毛髪整形装置の有利な実施形態が請求項２〜４に記載されている。
【００１０】
請求項２によると、毛髪整形構成要素の表面にぴったり合うように適合された毛髪保持クリップが毛髪整形装置の上に設けられ、この毛髪保持クリップが結合部によってハンドル部分又は毛髪整形構成要素に連結されると、毛髪のカールされた一房は、毛髪整形構成要素の上で張力を受けて保持される。毛髪保持クリップは、特にスプリング力を受けて、毛髪保持クリップと毛髪整形構成要素との間に押しつけられた毛髪のカールされた房を保持する部分に均一な圧力を加えるための、毛髪整形構成要素と同一の渦巻いた構造を特徴とする。
【００１１】
請求項３によると、渦巻いた構造が、渦巻いた毛髪整形構成要素を有する区画に対して、完全な巻き輪の半分と３つの完全な巻き輪との間、好ましくは１つの完全な巻き輪きと一巻き半の完全な巻き輪との間を構成するときに、特に良好なウェーブスタイル結果が達成される。この手のカールによって、毛髪の自然なウェーブにほぼ相当するウェーブ効果が毛髪に導入される。更に、毛髪のカールされた房の中に、十分なレベルの張力を生成することができる。
【００１２】
毛髪整形構成要素の末端部に渦巻いていない分離スパイクが設けられると（請求項４）、これを有利なやり方で使用して、まず、スタイリングされる必要がある毛髪の房を取り出し、次に、この房を毛髪整形構成要素の周囲に巻き付けることができる。この分離スパイクは渦巻いていないが、その代わり顕著な先細り形状又は若干の先細り形状を描いているという事実により、分離スパイクは、適用角度とは無関係にその機能を確実なやり方で遂行することが可能である。
【００１３】
以下の項では、提案される毛髪整形装置を、実用化を図示する図の助けを借りてより詳細に説明する。
【図面の簡単な説明】
【００１４】
【図１】渦巻き毛髪整形構成要素を備える渦巻き状のバーとして設計された毛髪整形装置の側面図であり、この渦巻いた構造は、寸法の点から見て一定形状を維持する毛髪整形構成要素の全長を下方に向かう楕円形の断面を有して作製され、断面で見たときのみ認識可能である楕形状を有する毛髪整形構成要素の長さの周囲にのみ巻かれる、側面図。
【図２】図１に描かれた毛髪整形構成要素から、図１に示されるように切断された断面Ａ−Ａの図。
【図３】図１に描かれた毛髪整形構成要素から図１に示されるように切断された断面Ｂ−Ｂの図。
【図４】図１に描かれた毛髪整形構成要素から図１に示されるように切断された断面Ｃ−Ｃの図。
【図５】図１に描かれた毛髪整形構成要素から図１に示されるように切断された断面Ｄ−Ｄの図。
【図６】図１に描かれた毛髪整形構成要素から図１に示されるように切断された断面Ｅ−Ｅの図。
【発明を実施するための形態】
【００１５】
毛髪を乾燥しかつウェーブスタイルにするための毛髪整形装置１の上では、ハンドル部分２及び加熱可能な毛髪整形構成要素３を備えて、毛髪整形構成要素３は渦巻いた構造４を呈している。毛髪整形構成要素３は、毛髪整形構成要素３の全長に対応する区画５に沿って長手方向軸を下方に向かう楕円形の断面を有する。この断面形状は、渦巻いた構造４を得るために、この断面上の楕円６の配列を変更することによって維持される。毛髪整形構成要素３の表面にぴったり合うように適合された毛髪保持クリップ７が毛髪整形装置１に設けられる。毛髪保持クリップ７は、結合部８によって毛髪整形構成要素３に連結される。毛髪保持クリップ７は、バネ仕掛けのボタン１１を手動で作動させることによって開閉され得る。ボタン１１が解放されると、構造４と同じように形作られた毛髪保持クリップ７は毛髪整形構成要素３の上に戻り、そこでカールされた毛髪の房をスプリング力によって押さえる。
【００１６】
渦巻き毛髪整形構成要素３を備える区画５に関係づけられるとき、渦巻いた構造４は、およそ１と４分の１の完全な巻き輪を描く。毛髪整形構成要素３の末端部９には、ウェーブスタイルにするにするために毛髪の房を分けるために使用される、渦巻いていない分離スパイク１０が形成される。
【００１７】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００１８】
参照番号リスト
１．毛髪整形装置
２．ハンドル
３．毛髪整形構成要素
４．構造
５．区画
６．楕円
７．毛髪保持クリップ
８．継ぎ目
９．終了
１０．分離スパイク
１１．ボタン
【図１】
2011512225.tif 000003
【図２】
2011512225.tif 000004
【図３】
2011512225.tif 000005
【図４】
2011512225.tif 000006
【図５】
2011512225.tif 000007
【図６】
2011512225.tif 000008
【国際調査報告】
2011512225.tif 000009
2011512225.tif 000010
2011512225.tif 000011